(57)【要約】【課題】ユーザにとって使い勝手がよく、より気の利いた情報を提供可能な情報提供システムを構築する。【解決手段】情報提供システムは、自車両の現在位置周辺の施設に関する施設情報を提供するシステムであって、制約情報取得部３２が、自車両の走行および当該情報提供システムのユーザの行動のうち少なくとも一方の制約を表す制約情報を取得し、嗜好情報取得部３３が、ユーザの嗜好を表す嗜好情報を取得する。次に、走行行動フィルタ部３７が、制約情報取得部３２にて取得した制約情報に基づき、複数の施設情報の中からユーザに必要な情報を抽出し、ユーザ嗜好フィルタ部３８が、走行行動フィルタ部３７にて施設情報が複数抽出された場合、嗜好情報取得部３３にて取得した嗜好情報に基づき、その複数の施設情報の中からユーザの嗜好に沿った情報を抽出する。そして、施設情報送信部３９が、このように抽出された嗜好情報を車載側端末装置１０に送信する。【選択図】図２
2014006074.tif 000002
【特許請求の範囲】
【請求項１】
自車両の現在位置周辺の施設に関する施設情報を提供する情報提供システムであって、
前記自車両の走行および当該情報提供システムのユーザ（１Ａ）の行動のうち少なくとも一方の制約を表す制約情報を取得する制約情報取得手段（３２）と、
前記ユーザの嗜好を表す嗜好情報を取得する嗜好情報取得手段（３３）と、
前記制約情報取得手段にて取得した制約情報に基づき、複数の前記施設情報の中から前記ユーザに必要な情報を抽出する第１の情報抽出手段（３７）と、
前記第１の情報抽出手段にて前記施設情報が複数抽出された場合、前記嗜好情報取得手段にて取得した嗜好情報に基づき、該複数の施設情報の中から前記ユーザの嗜好に沿った情報を抽出する第２の情報抽出手段（３８）と、
前記第１の情報抽出処理または前記第１および第２の情報抽出手段を経て抽出された施設情報を出力する情報出力手段（３９）と、
を備えることを特徴とする情報提供システム。
【請求項２】
前記制約情報のうち前記ユーザの行動の制約を表す情報を行動制約情報とし、
前記制約情報取得手段は、前記自車両の目的地、走行日時、及び走行場所のうち少なくとも一つを前記行動制約情報として取得し、
前記第１の情報抽出手段は、前記制約情報取得手段にて取得した行動制約情報に基づき、前記自車両の走行目的を推定し、その推定した走行目的に沿った前記施設情報を抽出することを特徴とする請求項１に記載の情報提供システム。
【請求項３】
前記嗜好情報取得手段にて取得した嗜好情報を前記制約情報毎に記憶する第１の記憶手段（２２Ａ）を備え、
前記第２の情報抽出手段は、前記制約情報取得手段にて取得した制約情報に対応する前記嗜好情報を前記第１の記憶手段から読み出し、その読み出した嗜好情報を用いて、前記施設情報を抽出することを特徴とする請求項１または請求項２に記載の情報提供システム。
【請求項４】
前記嗜好情報毎に前記ユーザの嗜好度合を示す嗜好レベル値を記憶する第２の記憶手段（２２Ｂ）を備え、
前記第２の情報抽出手段は、前記嗜好情報に対応する前記嗜好レベル値を前記第２の記憶手段から読み出し、その読み出した嗜好レベル値に応じて前記ユーザに提供する前記施設情報の限度個数を決定することを特徴とする請求項１ないし請求項３のいずれか１項に記載の情報提供システム。
【請求項５】
前記情報出力手段にて出力された施設情報に対して前記ユーザが行った操作および行動のうち少なくとも一方を示すフィードバック情報を取得するＦＢ情報取得手段（３５）と、
前記ＦＢ情報取得手段にて取得したフィードバック情報に基づいて、前記第２の記憶手段に記憶されている嗜好レベル値を可変設定する嗜好学習手段（３６）と、
を備えることを特徴とする請求項４に記載の情報提供システム。
【請求項６】
前記情報出力手段にて出力された施設情報に対して前記ユーザが行った操作および行動のうち少なくとも一方を示すフィードバック情報を取得するＦＢ情報取得手段（３５）を備え、
前記第１の情報抽出手段は、前記ＦＢ情報取得手段にて取得したフィードバック情報に基づいて、複数の前記施設情報の中から前記ユーザが行った操作または行動に関連する情報を除外することを特徴とする請求項１ないし請求項５のいずれか１項に記載の情報提供システム。
【請求項７】
前記制約情報のうち前記自車両の走行の制約を示す情報を走行制約情報とし、
前記制約情報取得手段は、前記自車両における動力源の残量を前記走行制約情報として取得することを特徴とする請求項１ないし請求項６のいずれか１項に記載の情報提供システム。
【請求項８】
コンピュータを、請求項１ないし請求項７のいずれか１項に記載の前記制約情報取得手段、前記嗜好情報取得手段、前記第１の情報抽出手段、前記第２の情報抽出手段および前記情報出力手段として機能させるためのプログラム。
【発明の詳細な説明】
【技術分野】
【０００１】
本発明は、自車両の現在位置周辺の施設情報を提供する情報提供システム等に関する。
【背景技術】
【０００２】
従来、この種の情報提供システムとしては、デジタルデータ放送から複数の施設情報を受信し、その受信した複数の施設情報の中から、ユーザが指定したカテゴリーに合致する施設情報を抽出し、その抽出した施設情報について、ユーザが入力したキーワード（例えば価格等）に関する推薦度を算出して、施設情報（例えば施設の位置）とともに推薦度を表示するカーナビゲーション装置が知られている（例えば、特許文献１参照）。
【先行技術文献】
【特許文献】
【０００３】
【特許文献１】特開２００６−１８４０３０号公報
【発明の概要】
【発明が解決しようとする課題】
【０００４】
しかしながら、特許文献１記載のナビゲーション装置では、地図画面上に推薦度が表示されるものの、ユーザが指定したカテゴリーに合致する施設情報が全て表示されるため、情報過多によって推薦度が高い情報をユーザに知得させることが困難となる場合が予想される。
【０００５】
これに対して、情報量を抑制するために、推薦度が高い施設情報のみを地図画面上に表示することが考えられるが、この場合には、ユーザが入力したキーワードだけで情報が取捨選択されることから、選ばれた情報にユーザの個性が反映されにくく、画一的な印象をユーザに抱かせてしまう可能性がある。
【０００６】
本発明は、上記問題点を解決するためになされたものであり、ユーザにとって使い勝手がよく、より気の利いた情報を提供可能な情報提供システムの構築を目的とする。
【課題を解決するための手段】
【０００７】
上記目的を達成するためになされた発明である情報提供システムは、自車両の現在位置周辺の施設に関する施設情報を提供するシステムであって、制約情報取得手段と、嗜好情報取得手段と、第１の情報抽出手段と、第２の情報抽出手段と、情報出力手段とを備える。
【０００８】
本発明の情報提供システムでは、制約情報取得手段が、自車両の走行および当該情報提供システムのユーザの行動のうち少なくとも一方の制約を表す制約情報を取得し、嗜好情報取得手段が、ユーザの嗜好を表す嗜好情報を取得する。
【０００９】
そして、第１の情報抽出手段が、制約情報取得手段にて取得した制約情報に基づき、複数の施設情報の中からユーザに必要な情報を抽出し、第２の情報抽出手段が、第１の情報抽出手段にて施設情報が複数抽出された場合、嗜好情報取得手段にて取得した嗜好情報に基づき、その複数の施設情報の中からユーザの嗜好に沿った情報を抽出する。情報出力手段は、第１の情報抽出手段または第１および第２の情報抽出手段を経て抽出された施設情報を出力する。
【００１０】
このように構成された情報提供システムでは、複数の施設情報のうち出力される情報が、自車両の走行またはユーザの行動のうち少なくとも一方に必要な情報に絞り込まれるため、必ずしもユーザが指定したカテゴリーに制限されることなく、情報過多を抑制することが可能となる。
【００１１】
しかも、このように絞り込まれた施設情報が複数存在する場合には、さらにユーザの嗜好に沿って施設情報が取捨選択されるため、必ずしもユーザが入力したキーワードに制限されることなく、ユーザの個性がなるべく反映された情報を提供することが可能となる。
【００１２】
従って、本発明の情報提供システムによれば、ユーザにとって使い勝手がよく、より気の利いた情報を提供することができる。
【図面の簡単な説明】
【００１３】
【図１】本発明が適用された情報提供システムの全体構成を例示する構成図である。
【図２】車載側端末装置１０の構成を例示するブロック図である。
【図３】管理装置２の機能的構成を例示する構成図である。
【図４】データベース２２に記憶されている走行シーンリスト２２Ａを説明するためのマトリックス図である。
【図５】データベース２２に記憶されている嗜好レベルリスト２２Ｂを説明するための概念図である。
【図６】管理装置２の制御部２３が実行する施設情報抽出処理の手順を例示するフローチャートである。
【図７】管理装置２の制御部２３が実行するユーザ嗜好フィルタ処理の手順を例示するフローチャートである。
【図８】車載側端末装置１０の制御部１８が実行する施設情報出力処理の手順を例示するフローチャートである。
【発明を実施するための形態】
【００１４】
以下に、本発明の実施形態を図面と共に説明する。
［全体構成］
図１に示す情報提供システム１は、ユーザ１Ａが乗車する車両（以下「自車両」という）の現在位置周辺の施設に関する情報（以下「施設情報」という）をユーザ１Ａに提供するシステムであって、管理装置２と、外部サービス提供装置３と、車載装置５と、ユーザ端末６とを備えて構成される。
【００１５】
外部サービス提供装置３は、インターネット網１Ｘに接続されており、ＷＥＢ上に各種の施設情報を公開する装置（例えばＷＥＢサーバ）である。施設情報には、例えば施設としての店舗の位置や、商品、役務、営業時間、来訪者による口コミ（推薦度を含む）、割引などに関する情報が含まれている。本実施形態において、外部サービス提供装置３は、１つであってもよいし、複数存在してもよい。
【００１６】
ユーザ端末６は、例えば携帯電話機やスマートフォン、タブレット端末といったユーザ１Ａによって携帯される可搬型端末装置であって、無線通信網を介してインターネット網１Ｘに接続可能に構成されている。
【００１７】
また、ユーザ端末６は、ＷＥＢ上に公開されている各種情報を閲覧するためのブラウザ機能を有し、例えば外部サービス提供装置３が公開する施設情報を表示したり、他のＷＥＢサイトが提供する地図データを表示したり、ＷＥＢ上の情報を検索することが可能に構成されている。
【００１８】
車載装置５は、例えば自車両に搭載されたナビゲーション装置であり、ハードディスク等のメディアに格納された地図データのうち現在位置周辺の地図データを表示したり、自車両の現在位置や施設情報（例えば施設の位置）を地図データに重畳表示したり、現在位置から目的地までの最適経路を計算するとともにその経路案内を行ったりする機能（以下「ナビ機能」という）を有する。なお、ナビ機能には、ユーザが指定した目的地の履歴や、自車両の駐車位置の履歴、ユーザが検索したキーワードの履歴といった履歴情報を記憶する機能も含まれている。
【００１９】
また、車載装置５は、自車両に構築されている車載ネットワークシステムに接続されており、車載ネットワークシステム上の電子制御装置（ＥＣＵ）から、例えばガソリンやバッテリといった自車両における動力源の残量や、ＥＣＵが行う自己故障診断結果など、自車両の走行の制約を表す情報（以下「走行制約情報」という）を取得可能に構成されている。
【００２０】
なお、ユーザ端末６についても、ＷＥＢ上の地図データを利用して車載装置５のナビ機能と同等の機能を実現することが可能に構成されている。このように、ユーザ端末６と車載装置５とは同等の機能を有することから、これらユーザ端末６および車載装置５の少なくとも一方を表す際に、車載側端末装置１０と総称し、以下を説明する。また、本実施形態におけるユーザ端末６のナビ機能については、ユーザ１Ａが自車両に乗車しているときに使用されることを想定し、以下を説明する。
【００２１】
車載側端末装置１０は、図２に示すように、位置検出部１１と、無線通信部１２と、表示部１５と、音声出力部１６と、操作入力部１７と、制御部１８とを備えている。
位置検出部１１は、例えばＧＰＳ（Global Positioning System）用の人工衛星からの送信電波を受信することにより、自車両の現在位置を検出するＧＰＳ受信機によって構成される。
【００２２】
無線通信部１２は、無線通信網を介してインターネット網１Ｘに接続し、例えば位置検出部１１にて検出された現在位置を示す情報（以下「位置情報」という）を管理装置２に送信したり、管理装置２から送られてくる施設情報を受信したりすることが可能に構成される。
【００２３】
表示部１５は、液晶ディスプレイや有機ＥＬディスプレイ等の表示装置であり、例えば現在位置周辺の地図データを表示したり、自車両の現在位置や施設の位置を地図データに重畳表示したり、現在位置から目的地までの最適経路を表示したりすることが可能に構成されている。
【００２４】
音声出力部１６は、例えば経路案内を行うための音声データや、施設情報を読み上げるための音声データ等をスピーカに出力させるように構成されている。
操作入力部１７は、メカニカルなキースイッチや、表示部１５の表示画面上に設置されるタッチパネルを介して、ユーザ１Ａの操作内容を入力するものであり、例えばＷＥＢ上の情報を検索するためのキーワードや、ナビ機能における目的地や、施設に対する評価などがユーザ１Ａの操作によって入力される。
【００２５】
制御部１８は、操作入力部１７や位置検出部１１、無線通信部１２からの入力に基づき、表示部１５や音声出力部１６、無線通信部１２を制御する装置である。制御部１８は、ＣＰＵ１８Ａと、ＲＯＭやＲＡＭ等のメモリ１８Ｂとを有するマイクロコンピュータを中心に構成され、ＣＰＵ１８Ａが、メモリ１８Ｂに格納されたプログラムに従って、例えばナビ機能を実現するための処理や後述する施設情報出力処理を実行する。
【００２６】
なお、このプログラムは、提供元から、光ディスクや磁気ディスク、半導体製メモリ等の記録媒体に記録して提供されたり、インターネット等のネットワークにコンピュータがアクセスして実行可能にサーバ等に格納されたり、サーバ等からコンピュータにダウンロードさせたりする態様で受け取ることができる。
【００２７】
［管理装置の構成］
図１に戻り、管理装置２は、車載側端末装置１０から送信されてくる各種情報に基づいてユーザ１Ａの特性を管理するとともに、車載側端末装置１０に施設情報を送信する装置であって、ネットワークインターフェース（以下「ネットワークＩ／Ｆ）２１と、データベース２２と、制御部２３とを備えて構成される。
【００２８】
ネットワークＩ／Ｆ２１は、インターネット網１Ｘに接続し、各種情報を送受信するためのインターフェースであり、外部サービス提供装置３から施設情報を取得したり、車載側端末装置１０から各種情報を取得したり、車載側端末装置１０に施設情報を送信したりするためのものである。
【００２９】
データベース２２は、ユーザ１Ａの特性に沿ったデータを集めて管理し、外部サービス提供装置３と連携することにより、ＷＥＢ上に公開されている施設情報について容易に検索・抽出などの再利用をできるようにしたものである。
【００３０】
制御部２３は、ネットワークＩ／Ｆ２１およびデータベース２２を制御する装置である。制御部２３は、ＣＰＵ２３Ａと、ＲＯＭやＲＡＭ等のメモリ２３Ｂとを有するマイクロコンピュータを中心に構成され、ＣＰＵ２３Ａが、メモリ２３Ｂに格納されたプログラムに従って、後述する施設情報抽出処理を実行する。
【００３１】
なお、このプログラムは、提供元から、光ディスクや磁気ディスク、半導体製メモリ等の記録媒体に記録して提供されたり、インターネット等のネットワークにコンピュータがアクセスして実行可能にサーバ等に格納されたり、サーバ等からコンピュータにダウンロードさせたりする態様で受け取ることができる。
【００３２】
また、制御部２３は、機能的な構成として、図３に示すように、施設情報取得部３１と、制約情報取得部３２と、嗜好情報取得部３３と、ＦＢ情報取得部３５と、ユーザ特性学習部３６と、走行行動フィルタ部３７と、ユーザ嗜好フィルタ部３８と、施設情報送信部３９とを備えて構成される。
【００３３】
施設情報取得部３１は、外部サービス提供装置３によってＷＥＢ上に公開されている施設情報を、ネットワークＩ／Ｆ２１を介して取得する。
制約情報取得部３２は、車載側端末装置１０から位置情報を取得するとともに、車載装置５から送信される走行制約情報や、車載側端末装置１０のナビ機能においてユーザ１Ａが指定した目的地や走行日時、走行場所などを表す情報（以下「行動制約情報」という）といった制約情報を、ネットワークＩ／Ｆ２１を介して取得する。なお、走行場所は、自車両の現在位置よりも広い範囲を示す情報とする。
【００３４】
嗜好情報取得部３３は、車載側端末装置１０のナビ機能において記憶された各種の履歴（目的地、駐車位置、検索キーワードの履歴）や、ユーザ端末６のブラウザ機能における検索キーワード、予め用意されたＷＥＢ上のアンケートフォームにユーザ１Ａが選択したキーワードなどを表す情報（以下「嗜好情報」という）を、ネットワークＩ／Ｆ２１を介して取得する。なお、嗜好情報は、車載側端末装置１０に限らず、ユーザ１Ａが使用する任意の端末からネットワークＩ／Ｆ２１を介して取得することができる。
【００３５】
ＦＢ情報取得部３５は、車載側端末装置１０における施設情報出力処理の実行時に、表示部１５に表示された施設情報に対して、所定時間内にユーザが行った操作（目的地の入力やキーワードの検索など）や、ユーザが取った行動（自車両の駐車など）を示す情報（以下「フィードバック情報」という）を、ネットワークＩ／Ｆ２１を介して取得する。
【００３６】
ユーザ特性学習部３６は、制約情報取得部３２、嗜好情報取得部３３、ＦＢ情報取得部３５にて取得した各種情報に基づいて、ユーザ１Ａの特性を学習し、データベース２２を更新する。
【００３７】
例えば、ユーザ特性学習部３６は、制約情報取得部３２にて取得した行動制約情報のうち、ユーザ１Ａが指定した目的地に基づいて、ユーザ１Ａの走行目的を推定し、その走行目的が実現されようとしている走行日時および場所を走行シーンとして対応づけて記憶して、データベース２２の走行シーンリスト２２Ａを更新する。
【００３８】
走行シーンリスト２２Ａは、図４に示すように、走行シーンに関連する情報カテゴリー、例えば休日の昼時にユーザ１Ａの自宅付近を走行しているシーンではファミリー向けの飲食店、平日の昼時にユーザ１Ａの勤務地付近を走行しているシーンではビジネスマン向けの飲食店、平日の夜時にユーザ１Ａの自宅付近でも勤務地付近でもない場所を走行しているシーンでは少し高級な飲食店が情報カテゴリーとして登録されている。
【００３９】
なお、走行シーンリスト２２Ａには、走行シーンの他に、走行制約情報に関連する情報カテゴリー、例えばガソリンの残量に対してはガソリンスタンドが情報カテゴリーとして登録されている。
【００４０】
また、ユーザ特性学習部３６は、嗜好情報取得部３３にて取得した嗜好情報を、走行シーン（ひいては行動制約情報）や走行制約情報といった制約情報毎に記憶することによって、走行シーンリスト２２Ａを更新する。
【００４１】
この場合、走行シーンリスト２２Ａには、例えば図４に示すように、ユーザ１Ａの履歴情報に従って、ファミリー向けの飲食店ではファミリーレストラン、ビジネスマン向けの飲食店ではファーストフード店、少し高級な飲食店では和食料理店といった情報カテゴリーや店名が嗜好情報として登録される。
【００４２】
さらに、ユーザ特性学習部３６は、ＦＢ情報取得部３５にて取得したフィードバック情報に基づいて、嗜好情報毎にユーザ１Ａの嗜好度合を示すレベル値（以下「嗜好レベル値」という）を登録し、データベース２２の嗜好レベルリスト２２Ｂを更新する。
【００４３】
嗜好レベルリスト２２Ｂは、図５に示すように、嗜好情報毎に嗜好レベル値が対応づけられており、さらに嗜好レベル値に応じてユーザ１Ａに提供する施設情報の限度個数が予め設定されている。
【００４４】
例えば、ユーザ特性学習部３６は、フィードバック情報を受信する毎に、対応する嗜好情報の嗜好レベル値を加算し、逆にフィードバック情報をその日のうちに受信しなかった場合には、対応する嗜好情報の嗜好レベル値を減算する。
【００４５】
また、ユーザ特性学習部３６は、嗜好レベルリスト２２Ｂにおいて、嗜好レベル値が同じである嗜好情報について、その情報カテゴリーに応じて分散するように施設情報の表示に関する制限時間を設定する。例えば、嗜好情報に合致する施設情報のうち、仕事に関する情報の表示時間は長めに設定され、娯楽に関する情報の表示時間は短めに設定される。
【００４６】
走行行動フィルタ部３７は、施設情報取得部３１にて取得した施設情報から、制約情報取得部３２にて取得した位置情報に基づいて、自車両周辺の施設に関する施設情報を抽出し、さらに、自車両周辺の施設に関する施設情報から、制約情報取得部３２にて取得した制約情報に基づいて、データベース２２の走行シーンリスト２２Ａを参照し、ユーザに必要な情報（例えばビジネスマン向けの飲食店）を抽出する。
【００４７】
ユーザ嗜好フィルタ部３８は、走行行動フィルタ部３７にて施設情報が複数抽出された場合に、嗜好情報取得部３３にて取得した嗜好情報に基づいて、データベース２２の走行シーンリスト２２Ａを参照し、複数の施設情報からユーザの嗜好に沿った情報（例えばファーストフード店）を抽出する。
【００４８】
施設情報送信部３９は、走行行動フィルタ部３７およびユーザ嗜好フィルタ部３８を経て抽出された施設情報を、位置情報の送信元である車載側端末装置１０にネットワークＩ／Ｆ２１を介して送信する。なお、ここで送信される施設情報には、データベース２２の嗜好レベルリスト２２Ｂに基づく表示時間（制限時間）を示す時間情報が含まれている。
【００４９】
［施設情報抽出処理］
次に、制御部２３のＣＰＵ２３Ａが走行行動フィルタ部３７およびユーザ嗜好フィルタ部３８として実行する施設情報抽出処理の一例について、図６のフローチャートに沿って説明する。なお、本処理は、制約情報取得部３２が車載側端末装置１０から、位置情報を取得すると開始される。
【００５０】
本処理が開始されると、まず、Ｓ１１０では、ＣＰＵ２３Ａが、車載側端末装置１０からネットワークＩ／Ｆ２１を介して、位置情報とともに制約情報を受信したか否かを判断し、ここで肯定判断した場合にはＳ１２０に移行し、否定判断した場合には制約情報を受信するまで待機する。
【００５１】
Ｓ１２０では、Ｓ１１０にて受信した位置情報と制約情報のうちの行動制約情報とに基づいて、自車両の現在位置から目的地までの距離（以下「走行予定距離」という）を算出するとともに、Ｓ１１０にて受信した制約情報のうちの走行制約情報に基づいて、ガソリンの残量から自車両の走行可能距離を推定する。
【００５２】
続くＳ１３０では、走行予定距離から走行可能距離を減じた距離（以下「走行余裕距離」という）が予め定められた閾値距離を下回るか否かを判断し、ここで肯定判断した場合にはＳ１４０に移行し、否定判断した場合にはＳ１８０に移行する。
【００５３】
Ｓ１４０では、データベース２２の走行シーンリスト２２Ａから情報カテゴリーとしてガソリンスタンドを選択し、外部サービス提供装置３によってＷＥＢ上に公開されている施設情報の中から、自車両の現在位置周辺のガソリンスタンドに関する施設情報を抽出する。
【００５４】
続くＳ１５０では、Ｓ１４０にて抽出した施設情報が複数存在するか否かを判断し、ここで肯定判断した場合にはＳ１６０に移行し、否定判断した場合にはＳ２００に移行する。
【００５５】
Ｓ１６０では、データベース２２の走行シーンリスト２２Ａから、Ｓ１４０にて選択した情報カテゴリーに対応する嗜好情報（例えばガソリンスタンドの店名）を読み出して、その読み出した嗜好情報に一致または類似する施設情報を抽出するユーザ嗜好フィルタ処理を実行し、Ｓ２００に移行する。
【００５６】
一方、Ｓ１３０で否定判断した場合、つまり走行余裕距離が閾値距離以上である場合に移行するＳ１７０では、Ｓ１１０にて受信した制約情報のうちの行動制約情報（目的地、走行日時、走行場所など）に基づいて、データベース２２の走行シーンリスト２２Ａから走行シーンに対応する情報カテゴリー（例えばビジネスマン向けの飲食店）を選択する。そして、外部サービス提供装置３によってＷＥＢ上に公開されている施設情報の中から、この選択した情報カテゴリーに該当する施設情報を抽出する。
【００５７】
続くＳ１８０では、Ｓ１７０にて選択した抽出した施設情報が複数存在するか否かを判断し、ここで肯定判断した場合にはＳ１９０に移行し、否定判断した場合にはＳ２００に移行する。
【００５８】
Ｓ１９０では、データベース２２の走行シーンリスト２２Ａから、Ｓ１７０にて選択した情報カテゴリーに対応する嗜好情報（例えばファーストフード店）を読み出して、その読み出した嗜好情報に一致または類似する施設情報を抽出するユーザ嗜好フィルタ処理を実行し、Ｓ２００に移行する。
【００５９】
Ｓ２００では、上記ステップにおいて抽出された施設情報を、車載側端末装置１０にネットワークＩ／Ｆ２１を介して送信し、Ｓ２１０に移行する。
Ｓ２１０では、車載側端末装置１０からネットワークＩ／Ｆ２１を介して受信したフィードバック情報に基づいて、自車両が飲食店に駐車したか否かを判断し、ここで肯定判断した場合にはＳ２２０に移行し、否定判断した場合には本処理を終了する。
【００６０】
Ｓ２２０では、データベース２２の走行シーンリスト２２Ａにおいて、ユーザ１Ａに関する情報カテゴリーおよび嗜好情報から、飲食店に関する項目を一定時間除外することにより、飲食店に関する施設情報の抽出・送信を禁止し、本処理を終了する。
【００６１】
なお、Ｓ２１０およびＳ２２０は、フィードバック情報に基づいてユーザ１Ａが行った行動に関連する情報を除外することの一例であるが、ユーザ１Ａが行った操作に関連する情報を除外してもよい。例えば、ユーザ１Ａが車載側端末装置１０で閲覧操作した施設情報に対応する嗜好情報を一定時間除外することにより、例えばファーストフード店に関する施設情報の抽出・送信を禁止してもよい。
【００６２】
［ユーザ嗜好フィルタ処理］
次に、制御部２３のＣＰＵ２３Ａが前述の施設情報抽出処理のＳ１６０またはＳ１９０において実行するユーザ嗜好フィルタ処理の一例について、図７のフローチャートに沿って説明する。
【００６３】
本処理が開始されると、ユーザ嗜好フィルタ部３８が、走行行動フィルタ部３７にて抽出された自車両の現在位置周辺の各施設情報について、データベース２２の走行シーンリスト２２Ａを参照し、嗜好情報に一致する（または類似する）か否かを判断し（Ｓ３１０）、ここで否定判断した場合には（Ｓ３１０；ＮＯ）、不要データとして抽出候補から除外する（Ｓ３２０）。
【００６４】
一方、嗜好情報に一致する（または類似する）施設情報を抽出候補として（Ｓ３１０；ＹＥＳ）、この抽出候補から、データベース２２の嗜好レベルリスト２２Ｂを参照し、嗜好レベル値がＮ（初期値１０）の嗜好情報に関連する施設情報を一つずつ抽出する（Ｓ３３０）。
【００６５】
そして、データベース２２の嗜好レベルリスト２２Ｂを参照し、嗜好レベル値Ｎに対応する制限個数に、Ｓ３３０にて抽出した施設情報が達したか否かを判断し（Ｓ３４０）、ここで否定判断した場合には（Ｓ３４０；ＮＯ）、Ｓ３３０における施設情報の抽出を継続する。
【００６６】
なお、ここで肯定判断した場合（Ｓ３４０；ＹＥＳ）、あるいは抽出候補のなかに、嗜好レベル値Ｎの嗜好情報に関連する未抽出の施設情報が存在しない場合には、嗜好レベル値Ｎをデクリメントし、嗜好レベル値Ｎが１でない場合（Ｓ３５０；ＮＯ）、次の嗜好レベル値の嗜好情報に関連する施設情報を一つずつ抽出する（Ｓ３３０）。
【００６７】
一方、嗜好レベル値Ｎが１になるまで施設情報を抽出すると（Ｓ３５０；ＹＥＳ）、本処理を終了し、抽出した全ての施設情報が車載側端末装置１０に送信されることになる。なお、ここで送信される各施設情報には、データベース２２の嗜好レベルリスト２２Ｂに基づく表示時間（制限時間）を示す時間情報が含まれている。
【００６８】
［施設情報出力処理］
最後に、車載側端末装置１０の制御部１８（ＣＰＵ１８Ａ）が実行する施設情報出力処理について、図８のフローチャートに沿って説明する。
【００６９】
本処理が開始されると、ＣＰＵ１８Ａが、予め定められた設定距離を自車両が走行したか否かを判断し（Ｓ４１０）、ここで肯定判断した場合には（Ｓ４１０；ＹＥＳ）、位置情報とともに制約情報（走行制約情報、行動制約情報）を、無線通信部１２を介して管理装置２に送信する（Ｓ４２０）。
【００７０】
そして、管理装置２から無線通信部１２を介して施設情報を受信したか否かを判断し（Ｓ４３０）、ここで肯定判断した場合には（Ｓ４３０；ＹＥＳ）、表示部１５において現在位置周辺の地図データの表示画面上に、施設情報としての施設の位置を重畳表示する（Ｓ４４０）。なお、操作入力部１７を介してユーザ１Ａによって施設の位置を指定する操作を受け付けると（Ｓ４５０；ＹＥＳ）、施設情報における詳細な情報をポップアップ表示したり、音声出力部１６を介して読み上げたりする。
【００７１】
また、操作入力部１７を介してユーザ１Ａによって施設の位置を指定する操作を受け付けると（Ｓ４５０；ＹＥＳ）、その施設情報を識別可能な情報としてフィードバック情報を、無線通信部１２を介して管理装置２に送信する（Ｓ４７０）。なお、ユーザ１Ａが自車両を施設の位置に駐車した場合にも（Ｓ４６０；ＹＥＳ）、その施設情報を識別可能な情報としてフィードバック情報を、無線通信部１２を介して管理装置２に送信する（Ｓ４７０）。
【００７２】
［効果］
以上説明したように、情報提供システム１では、管理装置２が、車載側端末装置１０から取得した制約情報に基づいて、複数の施設情報の中からユーザ１Ａに必要な情報を抽出し、複数の施設情報が抽出された場合には、さらに予め取得したユーザ１Ａに関する嗜好情報に基づいて、ユーザ１Ａの嗜好に沿った情報を抽出して、嗜好情報を車載側端末装置１０に送信する。
【００７３】
このように構成された情報提供システム１では、複数の施設情報のうち出力される情報が、自車両の走行またはユーザ１Ａの行動のうち少なくとも一方に必要な情報に絞り込まれるため、情報過多を抑制することが可能となる。しかも、このように絞り込まれた施設情報が複数存在する場合には、さらにユーザ１Ａの嗜好に沿って施設情報が取捨選択されるため、ユーザ１Ａの個性がなるべく反映された情報を提供することが可能となる。
【００７４】
従って、情報提供システム１によれば、ユーザにとって使い勝手がよく、より気の利いた情報を提供することができる。
また、情報提供システム１では、制約情報取得部３２が、自車両の目的地、走行日時、及び走行場所のうち少なくとも一つを行動制約情報として取得し、走行行動フィルタ部３７が、制約情報取得部３２にて取得した行動制約情報に基づき、自車両の走行目的を推定し、その推定した走行目的に沿った施設情報を抽出する。
【００７５】
よって、走行目的として、通勤・通学、買物、旅行、ドライブといった走行シーンが自動的に識別され、このようなシーンに沿った施設情報が出力されるため、より気の利いた情報をユーザに提供することができる。
【００７６】
また、情報提供システム１では、データベース２２の走行シーンリスト２２Ａには、嗜好情報取得部３３にて取得した嗜好情報が制約情報毎に記憶され、ユーザ嗜好フィルタ部３８が、制約情報取得部３２にて取得した制約情報に対応する嗜好情報を走行シーンリスト２２Ａから読み出し、その読み出した嗜好情報を用いて、施設情報を抽出する。
【００７７】
よって、例えば走行シーンに紐づいたユーザ１Ａの嗜好に合う施設情報が出力され得るため、さらに気の利いた情報をユーザに提供することもできる。
また、情報提供システム１では、データベース２２の嗜好レベルリスト２２Ｂには、嗜好情報毎に嗜好レベル値が記憶され、ユーザ嗜好フィルタ部３８が、嗜好情報に対応する嗜好レベル値を嗜好レベルリスト２２Ｂから読み出し、その読み出した嗜好レベル値に応じてユーザに提供する施設情報の限度個数を決定する。
【００７８】
よって、出力される施設情報の数が情報カテゴリーまたは施設情報毎にユーザ１Ａの嗜好レベルによって重みづけされるため、ユーザ１Ａの嗜好に合う情報を満遍なく提供するとともに、その数をユーザ１Ａの嗜好レベルに沿って増減させることで、各種の情報に出会う機会を担保しつつ、より嗜好性の高い情報をより多く提示することができる。
【００７９】
また、情報提供システム１では、ＦＢ情報取得部３５が、車載側端末装置１０にて出力された施設情報に対するフィードバック情報を取得し、ユーザ特性学習部３６が、ＦＢ情報取得部３５にて取得したフィードバック情報に基づいて、データベース２２の嗜好レベルリスト２２Ｂに記憶されている嗜好レベル値を可変設定する。
【００８０】
よって、出力された施設情報に対して実際にユーザ１Ａが行った操作および行動の少なくとも一方が嗜好レベル値に反映されるため、施設に関するユーザ１Ａの評価を精度よく吸い上げることができる。
【００８１】
また、情報提供システム１では、このフィードバック情報を用いて、ユーザ１Ａが実際に訪れた施設（例えば特定のレストラン）の情報カテゴリー（例えば食事）に属する施設情報の提供（抽出および出力）を一定時間禁止する。
【００８２】
よって、例えば満腹のユーザ１Ａに対して食事に属する施設の情報が出力されないため、より気の利いた情報のみをユーザ１Ａに提供することができる。
また、情報提供システム１では、制約情報取得部３２が、自車両における動力源の残量を走行制約情報として取得するため、例えばガソリンの残量が少ない場合に、ガソリンスタンドに関する施設情報が自動的に出力され、ユーザにとって気の利いた情報を提供することができる。
【００８３】
［発明との対応］
なお、本実施形態において、制約情報取得部３２が制約情報取得手段、嗜好情報取得部３３が嗜好情報取得手段、走行行動フィルタ部３７が第１の情報抽出手段、ユーザ嗜好フィルタ部３８が第２の情報抽出手段、施設情報送信部３９が情報出力手段、走行シーンリスト２２Ａが第１の記憶手段、嗜好レベルリスト２２Ｂが第２の記憶手段、ＦＢ情報取得部３５がＦＢ情報取得手段、ユーザ特性学習部３６が嗜好学習手段の各一例にそれぞれ相当する。
【００８４】
［他の実施形態］
以上、本発明の実施形態について説明したが、本発明は上記実施形態に限定されるものではなく、本発明の要旨を逸脱しない範囲において、様々な態様にて実施することが可能である。
【００８５】
例えば、上記実施形態の情報提供システム１は、管理装置２が車載側端末装置１０に施設情報を送信するように構成されているが、これに限定されるものではなく、車載側端末装置１０単体で情報提供システム１を構成してもよい。つまり、管理装置２の制御部２３を機能的に構成する各部を車載側端末装置１０の制御部１８が備えてもよい。
【符号の説明】
【００８６】
１…情報提供システム、２…管理装置、３…外部サービス提供装置、５…車載装置、６…ユーザ端末、１０…車載側端末装置、１８Ｂ…メモリ、２２…データベース、２２Ａ…走行シーンリスト、２２Ｂ…嗜好レベルリスト、２３…制御部、２３Ａ…ＣＰＵ、２３Ｂ…メモリ、３１…施設情報取得部、３２…制約情報取得部、３３…嗜好情報取得部、３５…ＦＢ情報取得部、３６…ユーザ特性学習部、３７…走行行動フィルタ部、３８…ユーザ嗜好フィルタ部、３９…施設情報送信部。
【図１】
2014006074.tif 000003
【図２】
2014006074.tif 000004
【図３】
2014006074.tif 000005
【図４】
2014006074.tif 000006
【図５】
2014006074.tif 000007
【図６】
2014006074.tif 000008
【図７】
2014006074.tif 000009
【図８】
2014006074.tif 000010